(57)【要約】【課題】本発明は，ユーザー端末を介した能動的な広告提供方法に関する。【解決手段】ユーザー端末にインストールされたユーザーアプリケーション上において，キーワードを含む情報がユーザー端末のオペレーティングシステムから提供する入力機能により入力されるキーワード入力段階と，前記アプリケーションと独立してユーザー端末にインストールされた広告アプリケーションが，前記キーワードが含まれた情報を，前記ユーザーアプリケーションとは別途に，前記広告アプリケーションと通信する広告提供サーバーに伝送するキーワード伝送段階と，前記サーバーが前記伝送されたキーワードが含まれた情報を分析するキーワード分析段階と，前記キーワード分析段階の分析結果により広告を決定する広告決定段階と，前記広告アプリケーションが前記決定された広告をユーザー端末のディスプレー部から表示する広告表示段階とを含む。【選択図】図３
2015215901.tif 000002
【特許請求の範囲】
【請求項１】
ユーザー端末にインストールされたユーザーアプリケーション上において，キーワードを含む情報がユーザー端末のオペレーティングシステムから提供する入力機能により入力されるキーワード入力段階と，
前記ユーザーアプリケーションと独立してユーザー端末にインストールされた広告アプリケーションが，前記キーワード入力段階において入力されたキーワードが含まれた情報を，前記ユーザーアプリケーションとは別途に，前記広告アプリケーションと通信する広告提供サーバーに伝送するキーワード伝送段階と，
前記広告提供サーバーが前記キーワード伝送段階において伝送されたキーワードが含まれた情報を分析するキーワード分析段階と，
前記広告提供サーバーが前記キーワード分析段階の分析結果により広告を決定する広告決定段階と，
前記広告アプリケーションが前記広告決定段階において決定された広告をユーザー端末のディスプレー部から表示する広告表示段階と，を含む能動型広告提供方法。
【請求項２】
前記ユーザーアプリケーションは，メッセンジャーアプリケーション，ＳＮＳサービスアプリケーション，掲示板機能を含むアプリケーション，及び検索機能を有するアプリケーションの一つであることを特徴とする請求項１記載の能動型広告提供方法。
【請求項３】
前記広告表示段階において表示される広告は，前記ユーザー端末のディスプレー部上において前記ユーザーアプリケーションの表示領域の上部にポップアップの形態で表示されることを特徴とする請求項１記載の能動型広告提供方法。
【請求項４】
前記キーワードを含む情報は，ユーザー端末のオペレーティングシステムから提供する入力機能により，リアルタイム入力される入力値であることを特徴とする請求項１記載の能動型広告提供方法。
【請求項５】
前記キーワード分析段階は，前記キーワードと関連した商品又はサービスを分析することを特徴とする請求項１記載の能動型広告提供方法。
【請求項６】
前記キーワード分析段階は，ユーザーの位置，ユーザーの性別，ユーザーの年齢，時間帯，及び季節と関連した情報のいずれか一つ以上の情報をさらに分析することを特徴とする請求項１記載の能動型広告提供方法。
【請求項７】
前記広告決定段階は，前記キーワード分析段階において分析された商品又はサービスと，広告データベース又は前記広告提供サーバーに保存された少なくとも一つ以上の広告とをマッチして決定することを特徴とする請求項１記載の能動型広告提供方法。
【請求項８】
前記広告決定段階は，優先順位のある複数個の広告を決定することを特徴とする請求項７記載の能動型広告提供方法。
【請求項９】
前記広告表示段階において表示される広告は，位置が変更可能であり，前記広告表示段階は，ユーザー端末のディスプレー部上のユーザーアプリケーションの表示領域の余白に広告を表示することを特徴とする請求項３記載の能動型広告提供方法。
【請求項１０】
前記ユーザー端末のディスプレー部を通じてユーザーが画面をスクロールし，前記広告表示段階において表示される広告がディスプレー部の表示領域から消えた場合，前記広告表示段階において表示される広告の表示位置がディスプレー部の表示領域内に変更されることを特徴とする請求項９記載の能動型広告提供方法。
【請求項１１】
前記広告表示段階において表示される広告は，ハイパーリンクされたテキスト又はイメージであり，ユーザーが前記テキスト又はイメージを選択すると，ハイパーリンクされたウェブページが表示され，又はマルチメディアコンテンツが表示されることを特徴とする請求項１記載の能動型広告提供方法。
【請求項１２】
前記広告表示段階において表示される広告には，広告主又は広告提供者がユーザーに積み立てられ，オフライン又はオンラインの交換価値のあるポイントの大きさが併記され，前記ポイントが併記された広告を選択し，ユーザーが一定の時間以上，リンクされたウェブページ又は表示されるマルチメディアコンテンツの情報を確認すると，前記広告アプリケーションは，ユーザーのポイント積立て条件の完成事実を，前記広告提供サーバーに伝送するポイント積立て段階をさらに含むことを特徴とする請求項１１記載の能動型広告提供方法。
【請求項１３】
前記広告決定段階は，ユーザーが予め決定された時間以内に入力したキーワードを含む情報により決定された広告が同一である場合は，前記広告表示段階を行われないことを特徴とする請求項１記載の能動型広告提供方法。
【請求項１４】
前記広告決定段階は，ユーザーが予め決定された時間以内に入力したキーワードを含む情報により決定された広告が同一である場合は，ポイント積立て段階を行わないことを特徴とする請求項１２記載の能動型広告提供方法。
【請求項１５】
前記広告決定段階は，ユーザーが予め決定された時間以内に入力したキーワードを含む情報により決定された広告が同一である場合は，後順位広告を表示することを特徴とする請求項１２記載の能動型広告提供方法。
【請求項１６】
前記広告表示段階において表示される広告をユーザーがタッチ入力する場合，ハイパーリンクされたホームページに直ちにアクセス，前記ユーザーアプリケーションの終了後にアクセス，又はユーザー端末にインストールされたウェブブラウザーアプリケーションのお気に入りに追加を選択可能な選択モードアイコンが表示されることを特徴とする請求項１記載の能動型広告提供方法。
【請求項１７】
前記広告表示段階において表示された広告は，前記ユーザー端末のウェブサーフィンアプリケーションのお気に入り又は前記広告アプリケーションの広告保存箱に累積して保存されることを特徴とする請求項１記載の能動型広告提供方法。
【発明の詳細な説明】
【技術分野】
【０００１】
本発明は，ユーザー端末を介した能動的な広告提供方法に関する。具体的には，本発明は，広告提供サーバーにおいて，ユーザー端末から入力される情報を収集し，収集した入力された情報のキーワードとマッチされる広告コンテンツをユーザー端末に伝送し，ユーザー端末のディスプレー上に出力させるように制御することにより，広告主が，ユーザーの入力内容と関連した広告を提供し得る方法に関する。
【背景技術】
【０００２】
有・無線通信網，移動通信網等を含むインターネットネットワーク上において，コンピュータ，タブレット型パソコン，ノート型パソコン，及びスマートフォン等を含むＩＴ機器（以下，「ユーザー端末」という。）を介して提供される広告は，広告効果が高い。
【０００３】
コンピュータやスマートフォンのようなユーザー端末が広範囲に普及され，殆どのユーザーがインターネットネットワークにアクセス可能なユーザー端末を常時携帯し，インターネットネットワークへのアクセス頻度が高く，コンピュータやスマートフォンを用いた広告は，ユーザーのインターネットネットワークへのアクセス時点に広告を露出すればよいので，いかなる従来の媒体による広告よりも，露出頻度が高い。
【０００４】
コンピュータやスマートフォン及びネットワーク上の様々なＩＴ機器を用いるに当たって，メッセンジャーは，最も重要な要素の一つである。メッセンジャーは，インターネットのようなネットワークを用いた，２人以上のインスタントメッセージないしリアルタイムの通信に用いられるコミュニケーションツールである。メッセンジャーは，現代社会の電子コミュニケーションツールの一つとして確実に位置付けられている。メッセンジャーを介したリアルタイムコミュニケーションは，Ｅメールの短所を補完することができ，まるで手紙や電話の関係のように，相互補完的な関係であって，インターネット通信の最も重要な部分となった。このようなメッセンジャーサービスの発展につれて，コンピュータ，スマートフォンを含むＩＴ機器市場の爆発的な成長は，ＩＴ市場の再度の活性化に決定的に寄与し，メッセンジャーの導入と大衆化の段階を超え，その大衆化時代の絶頂を迎えている。
【０００５】
このような趨勢により，メッセンジャーアプリケーションを用いた様々な収益創出も，重要な市場として注目されている。例えば，メッセンジャーアプリケーションとゲームやショッピングとの連動又はメッセンジャーアプリケーションを用いた広告提供がそのものである。
【０００６】
メッセンジャーアプリケーションを介した広告方法は，サービス画面内の特定部分の余白空間を通じて広告を提供することが一般的である。しかしながら，上述した殆どの広告は，広告を見る対象の関心を導き出すのに不十分であり，広告閲覧の動機付与とならず，ユーザーより目を背けられ，また，広告が露出するサービスの利用者の情報不足により，商品の主顧客対象層への集中広告方法ではなく，全ての利用者に提供する広告による費用負担の増加と広告効果の減少という問題点を有している。
【発明の概要】
【発明が解決しようとする課題】
【０００７】
本発明は，上記問題点に鑑みなされたものであり，その目的は，広告提供サーバーにおいて，ユーザー端末から入力される情報を収集し，収集した入力された情報のキーワードとマッチされる広告コンテンツをユーザー端末に伝送し，ユーザー端末のディスプレー上に出力させるように制御することにより，広告主は，ユーザーの入力内容と関連した広告を提示し，広告の効率性を高め，ユーザーは，提供された広告を通じて生活の質を高める方法を提供することにある。
【課題を解決するための手段】
【０００８】
本発明は，上記課題を解決するために開発されたもので，本発明の能動型広告提供方法は，ユーザー端末にインストールされたユーザーアプリケーション上において，キーワードを含む情報がユーザー端末のオペレーティングシステムから提供する入力機能により入力されるキーワード入力段階と，
前記ユーザーアプリケーションと独立してユーザー端末にインストールされた広告アプリケーションが，前記キーワード入力段階において入力されたキーワードが含まれた情報を，前記ユーザーアプリケーションとは別途に，前記広告アプリケーションと通信する広告提供サーバーに伝送するキーワード伝送段階と，
前記広告提供サーバーが前記キーワード伝送段階において伝送されたキーワードが含まれた情報を分析するキーワード分析段階と，前記広告提供サーバーが前記キーワード分析段階の分析結果により広告を決定する広告決定段階と，前記広告アプリケーションが前記広告決定段階において決定された広告をユーザー端末のディスプレー部から表示する広告表示段階と，を含む（請求項１）。前記ユーザーアプリケーションは，メッセンジャーアプリケーション，ＳＮＳサービスアプリケーション，掲示板機能を含むアプリケーション，及び検索機能を有するアプリケーションの一つであってもよい（請求項２）。
【０００９】
前記広告表示段階において表示される広告は，前記ユーザー端末のディスプレー部上において前記ユーザーアプリケーションの表示領域の上部にポップアップの形態で表示されても良い（請求項３）。
【００１０】
前記キーワードを含む情報は，ユーザー端末のオペレーティングシステムから提供する入力機能により，リアルタイム入力される入力値とすることができる（請求項４）。
【００１１】
前記キーワード分析段階は，前記キーワードと関連した商品又はサービスを分析する段階とすることができる（請求項５）。
【００１２】
前記キーワード分析段階は，ユーザーの位置，ユーザーの性別，ユーザーの年齢，時間帯，及び季節と関連した情報のいずれか一つ以上の情報をさらに分析するものとすることができる（請求項６）。
【００１３】
前記広告決定段階は，前記キーワード分析段階において分析された商品又はサービスと，広告データベース又は前記広告提供サーバーに保存された少なくとも一つ以上の広告とをマッチして決定するものとしてもよい（請求項７）。
【００１４】
前記広告決定段階は，優先順位のある複数個の広告を決定することを特徴とする（請求項８）。
【００１５】
前記広告表示段階において表示される広告は，位置が変更可能であり，前記広告表示段階は，ユーザー端末のディスプレー部上のユーザーアプリケーションの表示領域の余白に広告を表示することを特徴とするものとしてもよい（請求項９）。
【００１６】
前記ユーザー端末のディスプレー部を通じてユーザーが画面をスクロールし，前記広告表示段階において表示される広告がディスプレー部の表示領域から消えた場合，前記広告表示段階において表示される広告の表示位置がディスプレー部の表示領域内に変更されるものとすることができる（請求項１０）。
【００１７】
前記広告表示段階において表示される広告は，ハイパーリンクされたテキスト又はイメージであり，ユーザーが前記テキスト又はイメージを選択すると，ハイパーリンクされたウェブページが表示され，又はマルチメディアコンテンツが表示されるものとすることができる（請求項１１）。
【００１８】
前記広告表示段階において表示される広告には，広告主又は広告提供者がユーザーに積み立てられ，オフライン又はオンラインの交換価値のあるポイントの大きさが併記され，前記ポイントが併記された広告を選択し，ユーザーが一定の時間以上，リンクされたウェブページ又は表示されるマルチメディアコンテンツの情報を確認すると，前記広告アプリケーションは，ユーザーのポイント積立て条件の完成事実を，前記広告提供サーバーに伝送するポイント積立て段階をさらに含むことを特徴とする（請求項１２）。
【００１９】
前記広告決定段階は，ユーザーが予め決定された時間以内に入力したキーワードを含む情報により決定された広告が同一である場合は，前記広告表示段階を行われないものとすることができる（請求項１３）。
【００２０】
前記広告決定段階は，ユーザーが予め決定された時間以内に入力したキーワードを含む情報により決定された広告が同一である場合は，ポイント積立て段階を行わないことを特徴とする請求項１２に記載の能動型広告提供方法（請求項１４）。
【００２１】
前記広告決定段階は，ユーザーが予め決定された時間以内に入力したキーワードを含む情報により決定された広告が同一である場合は，後順位広告を表示することを特徴とする（請求項１５）。
【００２２】
前記広告表示段階において表示される広告をユーザーがタッチ入力する場合，ハイパーリンクされたホームページに直ちにアクセス，前記ユーザーアプリケーションの終了後にアクセス，又はユーザー端末にインストールされたウェブブラウザーアプリケーションのお気に入りに追加を選択可能な選択モードアイコンが表示されるものとしてもよい（請求項１６）。
【００２３】
前記広告表示段階において表示された広告は，前記ユーザー端末のウェブサーフィンアプリケーションのお気に入り又は前記広告アプリケーションの広告保存箱に累積して保存されるものとしてもよい（請求項１７）。
【発明の効果】
【００２４】
本発明によれば，広告提供サーバーにおいて，ユーザー端末から入力される情報を収集し，収集した入力された情報のキーワードとマッチされる広告コンテンツをユーザー端末に伝送し，ユーザー端末のディスプレー上に出力させるように制御することにより，既存のユーザー端末において行われた無差別的な広告への露出から外れ，ユーザーの対話内容に，その焦点を合わせ，ユーザーの所望の情報を収集することにより，広告の関心度を高め，ユーザーの便宜性を向上させ，広告主には広告効果を高め，広告を通じた収益創出に寄与することができる。
【００２５】
また，広告主が提供する広告費の一部を，広告を閲覧したユーザーに還元させ，広告閲覧の意思を増大させるので，広告産業の発展を誘導することができる。
【図面の簡単な説明】
【００２６】
【図１】本発明によるユーザー端末の構成を示すブロック図，
【図２】本発明の一実施例による能動的な広告提供方法のシステム構成を示す図，
【図３】本発明の一実施例による能動的な広告提供方法において，ディスプレー部が入力部を含むシステム構成を示す図，
【図４】本発明の一実施例による能動的な広告提供方法において，アプリケーションサーバーが広告提供サーバーの機能を含むシステム構成を示す図，
【図５】能動的な広告提供方法を示すフローチャートを示す図，
【図６】本発明の一実施例による能動的な広告提供方法において，ユーザーが情報を入力後，広告が形成される実施例を示す図，
【図７】本発明の一実施例による能動的な広告提供方法において，ユーザーが情報を入力すると同時に，リアルタイムで入力値が分析され，広告が形成される実施例を示す図，
【図８】本発明の一実施例による能動的な広告提供方法において，内容入力によりポップアップ広告がディスプレー部の表示領域から消えたとき，広告表示位置がディスプレー部の表示領域内に再配置される例を示す図，
【図９】本発明の一実施例による能動的な広告提供方法において，ユーザー端末の位置基盤サービスを用いて広告が提供される実施例を示す図，
【図１０】本発明の一実施例による能動的な広告提供方法において，ユーザーがポップアップされた広告を選択したとき，ハイパーリンクされたサイトに移る実施例を示す図，
【図１１】本発明の一実施例による能動的な広告提供方法において，ユーザーがポップアップされた広告を選択したとき，広告動画再生コンテンツが表示される実施例を示す図，
【図１２】本発明の一実施例による能動的な広告提供方法において，ユーザーがポップアップされた広告を選択したとき，選択モードアイコンが形成される実施例を示す図，
【図１３】本発明の一実施例による能動的な広告提供方法において，ディスプレー部上の表示領域に形成された広告が，決められた時間が経過すると，自動的に除去される状態を示す図である。
【発明を実施するための形態】
【００２７】
以下，添付した図面に基づき，本発明の好適な実施例について詳述する。しかしながら，本発明は，ここに説明された実施例に限定されず，他の形態に具体化されてもよい。かえって，ここで紹介される実施例は，開示された内容が徹底かつ完全になるように，また当業者に本発明の思想が充分に伝達されるようにするために提供されるものである。明細書の全般にわたって，同一の参照番号は，同一の構成要素を示す。
【００２８】
前記ユーザー端末は，携帯電話，コンピュータ，タブレット型パソコン，ノート型パソコン等を包括する概念であって，中央処理装置，ディスプレー装置，入力装置，及び通信部を含み，ネットワークを介して他の端末とコミュニケーションが可能な機器を全て含むものと定義することができる。
【００２９】
図１は，本発明によるユーザー端末１００の構成を示すブロック図で，図１を参照すると，ユーザー端末１００は，制御部１１０，カメラ部１２０，ディスプレー部１３０，入力部１４０，保存部１５０，マイク部１６０，音響出力部１７０，電源部１８０，及び通信部１９０からなり，各構成要素は，前記制御部１１０と連結されて制御されてもよい。
【００３０】
前記制御部１１０は，前記制御部１１０に含まれた主記憶装置に常住し，前記ユーザー端末１００の各構成要素と相互作用するアプリケーションモジュールであるカーネルを介して，ユーザー命令により，前記ユーザー端末１００の各構成要素が作動可能に制御することができる。
【００３１】
ここで，前記カーネルは，前記ユーザー端末１００に設けられた応用アプリケーションであるアプリケーションに，前記ユーザー端末１００の各構成要素へのアクセスのための簡単かつ標準化されたインタフェースを提供するとともに，前記ユーザー端末１００の各構成要素へのアクセスを統制することができる。
【００３２】
しかし，図１に示す構成要素が必須のものではなく，これより多くの構成要素を有し，又はそれより少ない構成要素を有するユーザー端末１００が具現されてもよい。以下，前記構成要素について順次説明する。
【００３３】
通信部１９０は，ユーザー端末１００と無線又は有線通信システム間又は複数個のユーザー端末１００がネットワークを介して無線及び有線通信を可能とする，一つ以上のモジュールを含んでもよい。例えば，通信部１９０は，放送受信モジュール，移動通信モジュール，無線インターネットモジュール，有線インターネットモジュール，近距離通信モジュール，及び位置情報モジュールの少なくともそれらの内一つを含んでもよい。
【００３４】
一方，ユーザー端末１００は，オーディオ信号又はビデオ信号の入力のための構成であって，カメラ部１２０とマイク部１６０を有してもよい。カメラ部１２０は，被写体のイメージを撮影し，テレビ電話モード又はイメージ撮影モードにおいて，イメージセンサにより得られる静止画又は動画等のイメージを生成して処理することができる。カメラ部１２０で撮影されるイメージは，ディスプレー部１３０に表示される。カメラ部１２０で生成したイメージは，保存部１５０に保存され，又は通信部１９０を介して外部装置に伝送される。また，カメラ部１２０は，使用環境により２つ以上設けられてもよい。
【００３５】
一方，マイク部１６０は，通話モード，録音モード，音声認識撮影モード等において，マイクロフォンにより，外部の音響信号を入力され，電気的な音声データを処理することができる。処理された音声データは，通話撮影モードである場合，通信部１９０を介して携帯電話の基地局に送信可能な形態に変換されて出力される。マイク部１６０には，外部の音響信号が入力される過程で発生するノイズを除去するための様々なノイズ除去アルゴリズムが具現されてもよい。
【００３６】
入力部１４０は，ユーザーが端末の動作制御のための入力データを発生させる。入力部１４０は，キーパッド，ドームスイッチ，タッチパッド（静圧／静電），ジョグホイール，ジョグスイッチ等で構成されてもよい。
【００３７】
前記ディスプレー部１３０は，ユーザー端末１００で処理される情報を表示（出力）することができる。例えば，携帯端末が通話撮影モードである場合，通話と関連したＵＩ(User Interface)又はＧＵＩ(Graphic User Interface)を表示することができる。ユーザー端末１００がテレビ電話撮影モード又は写真を撮影するための撮影モードである場合は，撮影，生成又は／及び受信された画像又はＵＩ，ＧＵＩを表示することができる。ディスプレー部１３０は，一般の携帯端末において，液晶ディスプレー(Liquid Crystal Display;LCD），薄膜トランジスタ液晶ディスプレー（Thin Film Transistor-Liquid Crystal Display;TFT LCD)，有機発光ダイオード(Organic Light-Emitting Diode;OLED)，フレキシブルディスプレー(Flexible Display)のいずれか一つを含んでもよい。
【００３８】
さらには，本実施例によるディスプレー部１３０は，情報及び／又はイメージを表示するとともに，選択可能なタッチパネル又はタッチスクリーンの形態で具現される。例えば，ディスプレー部１３０とタッチ動作を感知するセンサ（以下，「タッチセンサ」という。）が，相互層構造をなす場合（以下，「タッチスクリーン」という。），ディスプレー部１３０は，画像出力装置以外に入力装置としても用いられる。
【００３９】
タッチセンサは，例えば，タッチフィルム，タッチシート，タッチパッド等の形態を有してもよい。タッチセンサは，ディスプレー部１３０の特定部位に加えられた圧力又はディスプレー部１３０の特定部位に発生する静電容量等の変化を電気的な入力信号に変換するように構成されてもよい。タッチセンサは，タッチされる位置及び面積のみならず，タッチ時の圧力までも検出可能に構成されてもよい。タッチセンサに対するタッチ入力がある場合，それに対応する信号は，タッチ制御部（図示せず）に送られる。前記タッチ制御部は，その信号を処理後，処理データを制御部１１０に伝送することができる。これにより，制御部１１０は，ディスプレー部１３０のどの領域がタッチされたか，どんな方式でタッチされたか，又はシングルタッチとマルチタッチの有無等を判断することができる。
【００４０】
一方，音響出力部１７０は，信号受信，通話モード，又は録音撮影モード，音声認識モード，放送受信撮影モード等において，通信部１９０から受信され，又は保存部１５０に保存されたオーディオデータを出力することができる。音響出力部１７０は，ユーザー端末１００において行われる機能（例えば，信号受信音，メッセージ受信音等）と関連した音信号を出力することができる。このような音響出力部１７０には，レシーバー，スピーカー，ブザー等が含まれてもよい。
【００４１】
前記保存部１５０は，制御部１１０の処理及び制御のためのアプリケーションが保存されてもよく，入・出力されるデータ（例えば，電話番号簿，メッセージ，オーディオ，静止イメージ，画像イメージ等）の臨時保存のための機能をすることもできる。一方，後述するように，保存部１５０には，ユーザー端末に設けられた各種のユーザーアプリケーション（例えば，ゲーム，メッセンジャー等の各種のアプリケーション）のインストール空間又は処理空間を提供することができる。
【００４２】
前記制御部１１０は，通常，ユーザー端末１００の全般の動作を制御する。例えば，音声通話，データ通信，テレビ電話等のための関連した制御及び処理を行うことができる。前記制御部１１０は，マルチメディア再生のためのマルチメディアモジュール（図示せず）を有してもよい。また，上述した各種の応用アプリケーションがインストールされた保存部１５０を含めて，中央処理部１１５の役割を行うことにより，各種の応用アプリケーションに必要な制御及び各種の処理の役割を行うことができる。
【００４３】
さらには，電源部１８０は，制御部１１０の制御により，外部電源，内部電源を介して，各構成要素の動作に必要な電源を供給する。
【００４４】
図２は，本発明の一実施例による能動的な広告提供方法のシステム構成を示す。
【００４５】
図２及び図３を参照して説明する実施例は，ユーザー端末に設けられたユーザーアプリケーションとは独立的な別途の広告アプリケーションがインストールされ，能動的な広告提供機能を行う例について説明する。
【００４６】
しかし，このような別途の広告アプリケーションをインストールせず，メッセンジャー等のユーザーアプリケーションそのものが，広告機能モジュールを搭載する方式で広告機能を提供してもよい。その実施例は，図４を参照して説明する。
【００４７】
図２及び図３を参照して説明すると，ユーザー端末１００の入力部１４０を介してコミュニケーション等のための情報が入力され，入力された情報は，広告と関連したキーワードを含んでもよい。
【００４８】
入力されたテキスト等の情報は，広告提供サーバー２００に伝送される。前記広告提供サーバー２００は，伝送された情報のキーワードを抽出し，抽出されたキーワードと広告データベース２２０に保存されている広告コンテンツから抽出したキーワード間にキーワード分析作業を経た後，マッチされる広告コンテンツを，前記ユーザー端末１００に伝送する。前記ユーザー端末１００に伝送された広告コンテンツは，前記ユーザー端末１００のディスプレー部１３０上に出力される。
【００４９】
前記ユーザー端末１００の入力部１４０は，前記ディスプレー部１３０と一体化されていてもよい。スマートフォン又はタブレット型パソコンのように，タッチパネル又はタッチスクリーンのようなディスプレー部１３０を有するユーザー端末１００は，ディスプレー部１３０が出力機能と入力機能を平行して行ってもよい。図３は，ディスプレー部１３０が入力機能と出力機能を平行して行うものを示す。したがって，後述するディスプレー部１３０は，出力機能と入力機能を平行するものとしてもよい。
【００５０】
ユーザーアプリケーション１１７は，メッセンジャーアプリケーション，ＳＮＳサービスアプリケーション，掲示板機能を含むアプリケーション，及び検索機能を有するアプリケーションのいずれか一つであってもよい。但し，本発明のユーザーアプリケーション１１７として例示されたアプリケーションの形態に限定されるものではなく，ユーザー端末１００から入力される情報により，前記ユーザー端末１００と通信可能な広告提供サーバー２００又はアプリケーションサーバー３００から，ネットワークを介して，広告コンテンツを伝送されて出力できれば，具体的なアプリケーションの形態によらず，本発明のユーザーアプリケーション１１７の役割を自在に奏することができる。
【００５１】
また，前記ユーザーアプリケーションは，メッセンジャーアプリケーション等である場合，前記ユーザー端末１００の入力部１４０を介してコミュニケーションのための情報（オペレーティングシステム（ＯＳ）から提供する基本入力アプリケーションを介して入力される信号又は情報）が入力されると，前記入力された情報は，前記広告アプリケーション１１６で収集されるとともに，前記アプリケーションサーバー３００に前記入力された情報を伝送し，アプリケーションデータベース３２０にその内容を保存し，入力される情報の内容が，相手方端末４００と前記ユーザー端末１００のそれぞれに伝送されて出力される。したがって，ユーザーアプリケーション１１７本然の機能であるコミュニケーション機能が充実するとともに，広告の提供を行うことができる。
【００５２】
前記ユーザー端末１００の入力部１４０を介して前記ユーザーアプリケーション１１７に入力される情報（オペレーティングシステム（ＯＳ）から提供する基本入力アプリケーションを介した入力信号を意味する。）は，ユーザーの意図により，前記ユーザーアプリケーション１１７のみを用いるために入力される情報であってもよい。
【００５３】
したがって，前記広告アプリケーション１１６が前記ユーザーアプリケーション１１７に入力される情報を収集するための一つの方法として，ユーザーアプリケーション１１７に入力情報を提供する入力部１４０を介して入力される情報が，前記広告アプリケーション１１６にも提供されるように，入力部１４０から入力される情報を，他のアプリケーションでも共有するよう，オペレーティングシステム等のプラットフォームが，これを許容することが可能である。
【００５４】
すなわち，特定のユーザーアプリケーション１１７の使用中，当該ユーザーアプリケーション１１７に入力される情報を収集するために，オペレーティングシステム等のプラットフォームが，他のアプリケーションも入力部１４０の入力信号，すなわち，オペレーティングシステム（ＯＳ）から提供する基本入力アプリケーションを介した入力信号へのアクセス権限が許容されればよい。
【００５５】
オペレーティングシステム等のプラットフォームが，入力部１４０の入力情報の共有を許容する場合でも，入力部１４０を介した情報収集については，ユーザーアプリケーション１１７のインストールの際に，ユーザーの同意を得ることを前提として，ユーザーアプリケーション１１７がインストールされることが好ましい。
【００５６】
また，前記ユーザー端末１００の入力部１４０を介して前記ユーザーアプリケーション１１７上に入力される情報を収集する他の方法として，前記ユーザー端末１００を駆動するオペレーティングシステム（ＯＳ）から提供する基本入力アプリケーション以外に，前記ユーザー端末１００にインストールされたソフトウェア方式の入力アプリケーション（例えば，ソフトウェア方式のキーパッドアプリケーション等）を用いる方法で具現されてもよい。
【００５７】
前記ソフトウェア方式の入力アプリケーションは，既存のオペレーティングシステムのプラットフォーム又はカーネル等の変更無しに，オペレーティングシステムから提供する基本入力アプリケーション（オペレーティングシステム（ＯＳ）から提供する基本入力アプリケーション）とマッチされるアプリケーションであってもよい。
【００５８】
したがって，前記ソフトウェア方式の入力アプリケーションを介して入力される情報は，オペレーティングシステムから提供される基本入力アプリケーションを介してユーザーアプリケーション１１７に入力情報を伝達するとともに，前記広告アプリケーション１１６にも入力情報を提供し，キーワード分析に用いられる。
【００５９】
前記ソフトウェア方式の入力アプリケーションは，前記ユーザー端末１００にインストールするとき，前記ユーザーアプリケーション１１７及び広告アプリケーション１１６のように，前記ユーザー端末１００にインストールされた応用アプリケーションに対する情報提供権限の同意を，前記ユーザー端末１００を用いるユーザーに要求することができ，ユーザーが当該事項に対して同意する場合，前記別途に設けられるソフトウェア方式の入力アプリケーションは，前記ユーザー端末１００上において入力手段として用いられる。
【００６０】
また，前記ソフトウェア方式の入力アプリケーションと，前記広告アプリケーション１１６は，一つのアプリケーションの形態で提供され，この場合，ユーザー同意を得る過程を簡素化することができる。
【００６１】
したがって，ユーザーは，前記別途にインストールされるソフトウェア方式の入力アプリケーションを介して，前記ユーザーアプリケーション１１７上に情報を入力することができ，また，前記入力された情報が前記広告アプリケーション１１６にインストールされる。前記ユーザー端末１００を用いるにおいて，入力手段として，前記別途に設けられるソフトウェア方式の入力アプリケーションを介して，前記ユーザーアプリケーション１１７上に入力される情報は，前記広告アプリケーション１１６に共有又は収集され得るので，前記広告アプリケーション１１６が，前記ユーザーアプリケーション１１７に入力される情報を収集するために，前記オペレーティングシステム（ＯＳ）のカーネルが開放されない場合も，前記広告アプリケーション１１６が他のアプリケーションに用いられるために情報を収集し，能動型の広告提供のために用いられる。
【００６２】
上述したユーザー端末１００，広告提供サーバー２００，アプリケーションサーバー３００，相手方端末４００は，インターネット，イントラネット，有・無線通信網，移動通信網等を含むネットワーク５００を介して連結される。
【００６３】
以下では，本発明によるユーザー端末１００の入力部１４０を介して入力される入力情報による能動的な広告提供方法を具現するためのシステムを構成する各構成要素について詳述する。
【００６４】
前記広告提供サーバー２００は，有・無線通信網，移動通信網等を含むインターネットネットワークを介した前記ユーザー端末１００のアクセスを許容し，前記ユーザー端末１００からコミュニケーションのために入力される情報を受信し，広告コンテンツを前記ユーザー端末１００に伝送し，前記ディスプレー部１３０に出力させる。また，前記広告提供サーバー２００又は前記広告データベース２２０は，広告コンテンツを保存し，対話情報と前記広告コンテンツをマッチしたマッチングデータを保存することができる。
【００６５】
前記アプリケーションサーバー３００は，前記ユーザー端末１００にインストールされたユーザーアプリケーションを駆動するために，ユーザー端末１００と有・無線通信網，移動通信網等を含むインターネットネットワークを介して通信可能なサーバーである。
【００６６】
また，前記ユーザーアプリケーションがメッセンジャーアプリケーションである場合，前記アプリケーションサーバー３００は，少なくとも一つ以上の相手方端末４００を相手としてコミュニケーション可能なようにするサーバーであってもよい。
【００６７】
前記ユーザー端末１００においてコミュニケーションのために入力される情報を前記相手方端末４００に発信し，前記相手方端末４００のディスプレー上に出力させ，前記相手方端末４００から入力された情報を前記ユーザー端末１００に受信し，前記ユーザー端末１００のディスプレー部１３０上に出力させる。
【００６８】
前記ユーザー端末１００は，スマートフォンのようなスマート機器又はパーソナルＰＣであってもよい。但し，本発明のユーザー端末１００として例示した端末の形態に限定されるものではなく，前記広告アプリケーション１１６及び／又は前記ユーザーアプリケーション１１７をインストールし，入力される情報により，前記広告提供サーバー２００又は前記アプリケーションサーバー３００からインターネットネットワークを介して広告コンテンツが伝送されて出力できれば，具体的な端末の形態によらず，本発明のユーザー端末１００の機能を十分奏することができる。
【００６９】
一方，本発明のユーザー端末１００には，広告アプリケーション１１６がインストールされる。ユーザーは，前記ユーザー端末１００の入力部１４０を介して情報を入力し，前記入力された情報は，前記広告アプリケーション１１６で収集し，広告提供サーバー２００に伝送され，キーワードを抽出し，広告データベース２２０に保存された広告コンテンツから抽出したキーワードとマッチされた広告コンテンツを，前記ユーザー端末１００の広告アプリケーション１１６に伝送し，ディスプレー部１３０上に出力することが可能である。
【００７０】
広告がディスプレー部１３０に出力されるとは，ユーザーアプリケーションの表示領域上に，ポップアップの形態で，広告又はそのコンテンツが表示されることを意味する。
【００７１】
また，前記ユーザー端末１００から出力された広告コンテンツは，ユーザーアプリケーション１１７が提供するお気に入りリスト又は広告アプリケーション１１６が提供する広告保存箱に保存される。
【００７２】
一方，本発明のユーザー端末１００には，ユーザーアプリケーション１１７がインストールされる。ユーザーは，前記ユーザー端末１００にインストールされた前記ユーザーアプリケーション１１７を用いて，他のユーザーとメッセージ，イメージ，動画，文書，マルチメディアコンテンツを介したコミュニケーションが可能である。
【００７３】
前記マルチメディアコンテンツには，動画，絵，文字，音声，フラッシュエモーティコン，フラッシュアニメーションのいずれか一つが含まれてもよい。
【００７４】
具体的に，図４に示したアプリケーションサーバー３００は，図２及び図３を参照して説明した実施例とは異なり，広告データベース２２０を介してキーワード分析作業を行うことができる。
【００７５】
前記ユーザー端末１００に設けられたユーザーアプリケーション１１７において，前記入力部１４０を介してコミュニケーションのために入力される情報を収集し，前記アプリケーションサーバー３００に伝送する。
【００７６】
伝送された情報は，前記アプリケーションデータベース３２０に提供され，相手方端末４００と前記ユーザー端末１００に伝送されるとともに，前記情報のキーワードが抽出され，前記広告データベース２２０に保存された広告コンテンツのキーワードとのマッチング作業後，ユーザーに提供すべき広告が決定され，決定された広告コンテンツは，ユーザー端末に伝送され，前記ユーザー端末１００のユーザーアプリケーション１１７のディスプレー部１３０から出力される。
【００７７】
この場合，前記広告アプリケーション１１６の製作者又は運営者は，前記ユーザーアプリケーション１１７の製作者又は運営者と事前に合議し，前記ユーザーアプリケーション１１７が，前記広告アプリケーション１１６の機能を並行又は包含するようにし，前記広告アプリケーション１１６が省略されることにより，前記広告アプリケーション１１６と通信していた広告提供サーバー２００も省略されるので，キーワード分析作業を行う前記広告データベース２２０は，前記アプリケーションサーバー３００に連結され，その機能を行うことができる。
【００７８】
上記例では，前記ユーザー端末１００は，広告を行うために，別途に前記広告アプリケーション１１６をインストールする必要がなく，前記ユーザーアプリケーション１１７が前記広告アプリケーション１１６の役割を代理するので，全体的なシステムが簡素化するという長所があり，また，前記広告アプリケーション１１６に入力される情報を収集するために，前記カーネルの仲裁を設定し，又は前記別途にインストールされるソフトウェア方式の入力アプリケーションをインストールすべき煩わしさを省略するという長所がある。
【００７９】
図２乃至図４を参照した実施例は，ユーザー端末にインストールされたユーザーアプリケーションに広告提供機能が搭載されず，別途の広告アプリケーションがインストールされた場合と，広告提供モジュールが搭載された場合とのいずれも，ユーザーに能動的に広告を提供する方法について説明した。
【００８０】
前者の場合，広告アプリケーションも，ユーザーアプリケーションと別途にユーザー端末にインストールされなければならず，これは，後述するポイント積立て機能を通じてユーザーのインストールを誘導することができる。
【００８１】
また，後者の場合も，ポイント積立機能を通じて，広告機能を活性化して誘導することができ，ユーザーが所望でない場合は，広告機能を解除し，ユーザーアプリケーションの使用を妨げないようにすることができる。
【００８２】
図５は，能動的な広告提供方法において，上述したユーザー端末の能動的な広告提供方法を示すフローチャートである。図５に示すように，前記ユーザー装置の入力部を介して，ユーザーが任意でテキスト，すなわち，広告キーワードが入力されるキーワード入力段階（Ｓ１００），前記入力されたキーワードをサーバーに伝送するキーワード伝送段階（Ｓ２００），前記キーワード伝送段階（Ｓ２００）において伝送されたキーワードを広告提供サーバーにおいて分析するキーワード分析段階（Ｓ３００），及び前記キーワード分析段階（Ｓ３００）の分析結果により広告を決定する広告決定段階（Ｓ４００）を有してもよい。前記サーバーは，上述した実施例により，広告提供サーバー又はメッセンジャーサーバーとなる。
【００８３】
前記キーワード入力段階（Ｓ１００）は，前記ユーザー端末にインストールされた前記ユーザーアプリケーションの入力機能，又は前記ユーザー端末のオペレーティングシステム（ＯＳ）から提供する入力機能により行われる。
【００８４】
殆どのユーザーアプリケーションにおいて，特定のテキストを入力する過程は，前記ユーザー端末のオペレーティングシステム（ＯＳ）から提供する入力機能により行われる。
【００８５】
したがって，広告提供機能をユーザーアプリケーションそのものから支援しない場合も，広告アプリケーションは，オペレーティングシステム（ＯＳ）から提供する入力機能を介して入力される，又は入力されたテキストを広告サーバーに伝送し，キーワード分析段階（Ｓ３００）及び広告決定段階（Ｓ４００）が行われ，決定された広告をユーザー端末に伝送し，前記広告アプリケーションにより，前記広告表示段階（Ｓ５００）が行われる。
【００８６】
一方，前記キーワード伝送段階（Ｓ２００）乃至前記広告表示段階（Ｓ５００）は，前記ユーザーアプリケーション又は前記広告アプリケーションにおいて選択的に活性化又は非活性化が可能である。すなわち，ユーザーは，ユーザーの選択により，広告提供機能を活性化又は遮断することができる。
【００８７】
本発明の一実施例において，前記広告表示段階（Ｓ５００）は，前記ユーザー端末１００にインストールされた前記ユーザーアプリケーション１１７の入力機能により，キーワード入力段階（Ｓ１００）を完了した後，キーワード伝送段階（Ｓ２００），キーワード分析段階（Ｓ３００），及び広告決定段階（Ｓ４００）を順次に終えてから，ユーザー端末１００のディスプレー部１３０に表示される。
【００８８】
また，広告表示段階（Ｓ５００）後，ポイント積立て判断段階（Ｓ６５０）が行われる。
【００８９】
また，本発明による能動的な広告提供方法は，ユーザーが一定の時間，前記広告コンテンツ２０を閲覧すると，前記ユーザーは，広告主及び／又は広告会社が，事前に予め決定した金額のポイント積立て段階（Ｓ７００）が行われるように構成される。
【００９０】
この場合，前記ユーザーがポイントを積立てられると，ユーザーアプリケーション１１７又は広告アプリケーション１１６は，ユーザーのポイント積立て条件の完成事実を，アプリケーションサーバー３００又は広告提供サーバー２００に伝送する。前記ユーザーが積み立てられたポイントは，オンライン及びオフラインにおいて交換価値を有して使用可能であり，前記ポイントの大きさは，前記ディスプレー部１３０上に表示される広告コンテンツ２０上に併記される。
【００９１】
図６は，ユーザーが内容入力を完了した後，ディスプレー部１３０に広告が形成される例を示し，図７は，キーワード１０が入力されるうち，リアルタイムで分析され，広告が形成される実施例を示す。
【００９２】
図６に示した実施例は，キーワード１０の入力が完了した状態で，ユーザーアプリケーション又は広告アプリケーションを介してキーワードが伝送された後，広告コンテンツ２０が表示される例を示しているが，図７は，ユーザーアプリケーションを介してキーワードが入力される過程，例えば，メッセンジャーアプリケーション上において，一つの対話が全て入力されない状態で文章の一部を伝送し，文章に含まれたキーワードである「ノート型」をキーワード１０として識別し，広告コンテンツ２０を表示する実施例を示す。
【００９３】
図７に示した実施例において，前記広告表示段階（Ｓ５００）は，前記ユーザー端末１００に予めインストールされたオペレーティングシステム（ＯＳ）から提供する入力機能により，キーワード入力段階（Ｓ１００）を行ううち，入力されているキーワード１０がリアルタイムで，キーワード伝送段階（Ｓ２００），キーワード分析段階（Ｓ３００），及び広告決定段階（Ｓ４００）が行われ，リアルタイムでユーザー端末１００のディスプレー部１３０上に広告が表示される実施例を示す。
【００９４】
すなわち，キーワードの入力が完了し，ユーザーアプリケーションにより入力されたテキスト等がアプリケーションサーバーに伝送される前でも，ユーザーアプリケーション又は広告アプリケーションは，それぞれテキストが入力される過程で，段階別に入力されたテキスト等のキーワードを伝送し，キーワード分析及び広告決定過程を行い，広告の応答性を向上させることができる。
【００９５】
すなわち，メッセンジャー等のユーザーアプリケーションを行う過程において入力される対話の長さが長くなる場合，ユーザーアプリケーション又は広告アプリケーションは，一つの対話内容の全体が完成される前，一定の時間間隔又は文字数等の予め決定された条件を満たす場合，これを先に伝送して分析し，広告を提供する方法で，広告の応答性を向上させることができる。
【００９６】
この場合，ユーザーアプリケーションがメッセンジャーアプリケーションである場合は，提供される広告は，キーワードを入力するユーザーにのみ提供される携帯でサービスされるように設定されてもよく，同一のアプリケーションを用いる全てのユーザーに広告が露出するようにしてもよい。
【００９７】
一方，前記キーワード分析段階（Ｓ３００）は，前記キーワード１０と関連した商品又はサービスを分析することができる。前記分析された商品又はサービスと，前記アプリケーションサーバー３００又は前記広告提供サーバー２００に提供された少なくとも一つ以上の広告をマッチし，広告決定段階（Ｓ４００）を行うことができる。また，前記広告決定段階（Ｓ４００）において，優先順位のある複数個の広告を決定することができる。
【００９８】
図６及び図７では，キーワードが「ノート型」である場合，広告コンテンツ２０もノート型パソコン関連広告である場合として示しているが，このように正確なマッチングが行われない場合でも，キーワードが暗示する製品又はサービスのリストを，キーワード分析作業を通じて把握し，当該リストに関連した広告の存在の有無を把握し，優先順位広告を提供することができる。
【００９９】
一方，メッセンジャー等のユーザーアプリケーションを通じて，対話を進行するユーザーが複数個の文書において，同一のキーワードを繰り返して入力する場合が多いので，前記広告決定段階（Ｓ４００）は，ユーザーが予め決定された時間以内に入力したキーワード１０により決定された広告が同一である場合は，前記広告表示段階は行わなくてもよい。すなわち，前記ユーザー端末１００において広告コンテンツ２０が表示された後，予め決定された時間以内に前記表示された広告コンテンツ２０と同一のキーワード１０を有する広告コンテンツ２０が，前記決定段階（Ｓ４００）で決定された場合，広告表示段階（Ｓ５００）は省略してもよい。
【０１００】
一方，前記広告決定段階（Ｓ４００）は，ユーザーが予め決定された時間以内に入力したキーワード１０により決定された広告が同一である場合は，後順位広告を表示することができる。すなわち，前記ユーザーが予め決定された時間以内に同一のキーワード１０が重複して入力された場合，高順位のキーワード１０のみが分析され，ユーザー端末１００のディスプレー部１３０に表示される。
【０１０１】
図６及び図７に示した実施例において，キーワードが「ノート型」である場合，広告コンテンツ２０がタブレット型パソコン又はスマートフォン等の類似機能を有する製品であり，又はサービス等の広告コンテンツを提供するように構成してもよい。
【０１０２】
一方，前記広告表示段階（Ｓ５００）において表示される広告コンテンツ２０は，前記ユーザー端末１００のディスプレー部１３０上の前記ユーザーアプリケーション１１７の表示領域の上部の余白にテキスト又はイメージのポップアップの形態で表示される。また，前記表示された広告コンテンツ２０は，前記ディスプレー部１３０を通じたユーザーの身体接触，前記ユーザー端末の傾き，前記ユーザーの意図的な広告コンテンツドラッグにより，表示される位置を変更することができる。図６及び図７に示した実施例において，表示される広告コンテンツ２０は，前記ユーザー端末１００のディスプレー部１３０上のユーザーアプリケーション１１７の表示領域の余白に生成した実施例を示す。
【０１０３】
一方，前記広告コンテンツ２０は，ポイントアイコン３０を含め，ユーザーが積み立てされるポイントの大きさを表示することができる。上述した図５に示すように，ユーザーが，積立て判断段階（Ｓ６５０）及びポイント積立て段階（Ｓ７００）を経てポイントを積み立てられる場合，前記併記されたポイントアイコン３０の価値だけのポイントを積み立てられ，これを追って使用可能に設定されてもよい。
【０１０４】
図８は，本発明の一実施例による能動的な広告提供方法において，内容入力によりポップアップ広告がディスプレー部の表示領域から消えたとき，広告表示位置がディスプレー部の表示領域内に再配置される実施例を示す。
【０１０５】
ユーザー端末１００のディスプレー部１３０の表示領域内に表示された広告コンテンツ２０が，画面スクロール又は画面転換等の理由で消えてしまった場合，前記表示された広告コンテンツは，前記ディスプレー部１３０の表示領域内に再配置されるように表示位置が変更される。
【０１０６】
メッセンジャー等のユーザーアプリケーションにおいて対話が進行する過程により，下方に対話窓が延長され，延長された対話内容を表示するために，以前の対話を表示する領域は，アプリケーションの表示領域から除去される。
【０１０７】
ユーザー端末１００のディスプレー部１３０上に表示された広告コンテンツ２０が，前記ユーザーアプリケーション１１７上に入力される情報に押され，前記ユーザーアプリケーション１１７の画面表示領域の上方に消えてしまった場合，自動的に，ディスプレー部１３０の表示領域内において前記広告コンテンツ２０が再配置されて表示され，当該領域も，ディスプレー部１３０の表示領域の余白領域であってもよい。
【０１０８】
図９は，本発明の一実施例による能動的な広告提供方法において，ユーザー端末の位置基盤サービスを用いて広告が提供される例を示す。
【０１０９】
ユーザー端末１００は，位置基盤サービスを適用し，広告提供方法においてユーザー位置による適切な広告提供を受けることができる。図９を参照すると，前記ユーザー端末１００のディスプレー部１３０上に表示される広告コンテンツ２０が，前記ユーザー端末１００の位置基盤サービスの適用下で提供される例を示す。
【０１１０】
前記位置基盤サービスを適用したユーザー端末１００上の入力部１４０を介して情報が入力され，前記入力された情報がキーワード分析段階（Ｓ３００）を経るとき，前記ユーザー端末１００の位置等が，ＧＰＳ又は通信ネットワーク等から入力された情報のキーワード１０と一緒に分析され，前記ユーザー端末１００に表示される広告コンテンツ２０は，前記ユーザー端末１００を用いるユーザーの所定範囲の位置内において提供可能な商品又はサービスと関連した広告コンテンツを表示させることができる。
【０１１１】
例えば，図９に示すように，ユーザーが入力したキーワードから，「江南駅」と「英会話」とのキーワードが伝送及び分析された場合であれば，ユーザーアプリケーション又は広告アプリケーションは，「江南駅」位置基盤「英会話」と関連した広告のリストを抽出し，江南駅所在の英会話学院等のサービス業の広告コンテンツ２０を表示する。
【０１１２】
ユーザーは，前記ユーザー端末１００の制御部１１０の設定により，位置基盤サービスを適用し，又は適用しないように設定することができる。ユーザー端末１００の前記位置基盤サービスの位置情報は，ユーザー端末１００のＧＰＳ又は通信ネットワークを管掌する通信部１９０を介して提供され，広告提供サーバー２００及び／又はアプリケーションサーバー３００は，ユーザー端末１００の通信部１９０と無線又は有線通信網を介したネットワーク連結を通じて，ユーザー端末１００の位置が提供される。
【０１１３】
すなわち，このようにユーザーの対話等を通じて，ユーザーの関心事項を把握して広告を提供することにより，広告効果を極大化することができ，ユーザーに必要な情報を効果的に提供することができる。
【０１１４】
また，前記キーワード分析段階（Ｓ３００）において，ユーザーの位置のみならず，ユーザーの性別，ユーザーの年齢，ユーザーがユーザー端末１００を用いる時点の時間帯，及び季節と関連した情報を分析する。したがって，ユーザーは，広告コンテンツ２０が提供されるに当たって，さらに有用な広告コンテンツ２０が提供され得る。
【０１１５】
前記ユーザーの性別，ユーザーの年齢，ユーザーがユーザー端末１００を用いる時点の時間帯，及び季節と関連した情報は，広告データベース２２０に保存された様々な広告決定条件に反映され，ユーザーの関心事項をさらに精巧に把握するようにする。
【０１１６】
図１０は，本発明の一実施例による能動的な広告提供方法において，ユーザーがポップアップされた広告を選択したとき，ハイパーリンクされたサイトに移る例を示す図であり，図１１は，本発明の一実施例による能動的な広告提供方法において，ユーザーがポップアップされた広告を選択したとき，広告動画再生コンテンツが表示される例を示す。
【０１１７】
図１０を参照すると，ユーザーがユーザー端末１００のディスプレー部１３０上に表示された広告コンテンツ２０を選択すると，提供された広告コンテンツ２０とリンクされたウェブページ２５の画面がディスプレー部１３０上に表示される。前記ユーザーが前記提供された広告コンテンツ２０を選択すると，前記広告コンテンツ２０とリンクされたウェブページ２５にアクセスするように設定される。
【０１１８】
したがって，広告コンテンツ２０を選択し，前記広告コンテンツ２０とリンクされたウェブページ２５が開くように，ユーザー端末にインストールされたウェブブラウザー等のアプリケーションが駆動される。
【０１１９】
また，本発明による能動的な広告提供方法は，ユーザーが，一定の時間，前記広告コンテンツ２０とリンクされたウェブページ２５から情報を閲覧すると，前記ユーザーは，広告主及び／又は広告会社が事前に予め決定した金額のポイントを積み立てられるように構成されてもよい。
【０１２０】
また，図１１を参照すると，ユーザーがユーザー端末１００のディスプレー部１３０上に表示された広告コンテンツ２０を選択すると，前記ディスプレー部１３０の表示領域の余白にマルチメディアコンテンツ４０が表示される。前記マルチメディアコンテンツ４０は，動画，絵，文字，音声，フラッシュエモーティコン，フラッシュアニメーションのいずれか一つを含み，ユーザーアプリケーション１１７を用いるとともに，前記ユーザーアプリケーション１１７の表示領域からの離脱無しに，前記広告コンテンツ２０の情報を確認することができる。
【０１２１】
前記マルチメディアコンテンツ４０は，応用層(application layer)や組み込みウェブビュー(embedded webview)を用いて具現され，ユーザーが前記マルチメディアコンテンツ４０を表示し，一定時間以上の時間情報を閲覧すると，前記ユーザーは，広告主及び／又は広告会社が事前に予め決定した金額のポイントを積み立てられるように構成されてもよい。
【０１２２】
しかし，短時間に数回同一の広告を閲覧しても，ポイントが重複して積み立てられることが防止されるように，予め決定された時間又は広告の同一性等を比較し，広告の効率性を向上させることができる。すなわち，一定時間の間，同一の広告を閲覧しても，ポイントは再度積み立てられないように設定され，又は同一の広告が表示されないようにする方法でアプリケーションを設定することができる。
【０１２３】
図１２は，本発明の一実施例による能動的な広告提供方法において，ユーザーがポップアップされた広告をクリックしたとき，選択モードアイコンが形成される例を示す。
【０１２４】
上述したユーザー端末１００のディスプレー部１３０上に表示された広告コンテンツ２０を選択する場合，ディスプレー部１３０上の表示された広告コンテンツ２０の周辺に選択モードアイコンが表示され，ユーザーが広告を閲覧する方法のオプションをユーザーが選択するようにしてもよい。
【０１２５】
図１２を参照すると，前記表示された選択モードアイコン４０は，前記表示された広告コンテンツ２０の広告情報を直ちに確認する即時開き４１，前記表示された広告コンテンツ２０の広告情報を実行中のユーザーアプリケーション１１７の終了後に表示する終了後開き４２，及び前記表示された広告コンテンツをお気に入りリストに追加４３可能なアイコンを表示し，ユーザーアプリケーションの使用を妨げないとともに，広告に関心のあるユーザーに広告を提供することができる。
【０１２６】
したがって，即時開き４１を選択すると，直ちに別途のウェブブラウザーが実行されて広告が表示され，或いはマルチメディアコンテンツを直ちに閲覧し，即時閲覧４１を選択すると，メッセンジャー等のユーザーアプリケーションの終了後，別途のウェブブラウザーが実行されて広告が表示され，或いはマルチメディアコンテンツを閲覧可能に広告が提供され，お気に入りリストに追加４３を選択すると，別途のウェブブラウザーアプリケーションのお気に入りに，広告コンテンツ２０関連インターネットＵＲＬ等が保存されるように構成されてもよい。
【０１２７】
図１３は，本発明の一実施例による能動的な広告提供方法において，ディスプレー部上の表示領域に形成された広告が，決められた時間が経過すると，自動的に除去される状態を示す。
【０１２８】
図１３を参照すると，ユーザー端末１００のディスプレー部１３０上に表示された広告コンテンツ２０は，前記ディスプレー部１３０上に表示された後，予め決定された時間が経過すると，前記ユーザー端末１００のディスプレー部１３０上において自動に除去されるように構成されることが好ましい。前記表示された広告コンテンツ２０のディスプレー部１３０における表示時間は，前記広告コンテンツ２０を提供する広告主と広告提供会社及び／又はアプリケーション提供会社が予め決定することができる。したがって，広告がユーザーアプリケーションの表示領域に表示される時間を最少化することにより，ユーザーアプリケーションの使用の妨害を最少化し，ユーザーの関心を引き起こす効果を極大化することができる。
【０１２９】
一方，ユーザーアプリケーション又は広告アプリケーションは，過去の広告の閲覧を所望のユーザーのために，別途の広告保存箱を設け，過去の広告の閲覧が可能なようにアプリケーションを構成することができる。また，表示される広告がウェブサーフィンアプリケーションを通じてウェブページ上に表示される場合，前記表示される広告は，前記ウェブサーフィンアプリケーションが提供するお気に入りリストに保存することも可能である。
【０１３０】
本明細書は，本発明の好適な実施例を参照して説明しているが，当該技術の分野における当業者は，後述する特許請求の範囲に記載された本発明の思想及び領域から逸脱しない範囲内で，本発明を多様に修正及び変更して実施することができる。このため，変形された実施が基本的に本発明の特許請求の範囲の構成要素を含めば，全て本発明の技術的範疇に含まれるものと解釈されなければならない。
【符号の説明】
【０１３１】
１００    ユーザー端末
２００    広告提供サーバー
３００    アプリケーションサーバー
４００    相手方端末
５００    ネットワーク
【図１】
2015215901.tif 000003
【図２】
2015215901.tif 000004
【図３】
2015215901.tif 000005
【図４】
2015215901.tif 000006
【図５】
2015215901.tif 000007
【図６】
2015215901.tif 000008
【図７】
2015215901.tif 000009
【図８】
2015215901.tif 000010
【図９】
2015215901.tif 000011
【図１０】
2015215901.tif 000012
【図１１】
2015215901.tif 000013
【図１２】
2015215901.tif 000014
【図１３】
2015215901.tif 000015